(57)【要約】【課題】嗜好分析範囲を拡張し、よりユーザに嗜好に沿った精度の高いコンテンツ情報を生成する。【解決手段】映像データ制御部１１が再生した映像コンテンツのコンテンツ情報を蓄積する視聴情報記憶部６１と、視聴情報記憶部６１に蓄積されたコンテンツ情報に基づいて、映像受信端末１を利用するユーザの映像コンテンツに対する嗜好の度合いを算出し、あらかじめ設定された閾値以上の嗜好の度合いを示す映像コンテンツのコンテンツ情報を抽出して嗜好情報を作成する嗜好分析装置７と、嗜好分析装置７が作成した嗜好情報と、マルチキャスト配信映像コンテンツサーバ２１およびユニキャスト配信映像コンテンツサーバ２２が配信する映像コンテンツのコンテンツ情報とを照合し、あらかじめ設定された閾値以上の適合度を有するコンテンツ情報を抽出するコンテンツ抽出装置８とを備え、映像受信端末１は抽出されたコンテンツ情報に該当する映像コンテンツを取得し、再生するものである。【選択図】図１
2013126020.tif 000002
【特許請求の範囲】
【請求項１】
映像コンテンツをマルチキャスト配信するマルチキャスト配信映像コンテンツサーバと、
映像コンテンツをユニキャスト配信するユニキャスト配信映像コンテンツサーバと、
前記マルチキャスト配信映像コンテンツサーバおよび前記ユニキャスト配信映像コンテンツサーバから配信される映像コンテンツを受信するネットワークインタフェース部と、前記ネットワークインタフェース部を介して取得した映像コンテンツを再生して表示装置に表示する制御部とを有する映像受信端末とを備えたコンテンツ配信システムにおいて、
前記制御部が再生したユニキャスト配信された映像コンテンツのコンテンツ情報、およびマルチキャスト配信された映像コンテンツのコンテンツ情報を蓄積する視聴情報記憶装置と、
前記視聴情報記憶装置に蓄積されたコンテンツ情報に基づいて、前記映像受信端末を利用するユーザの映像コンテンツに対する嗜好の度合いを算出し、あらかじめ設定された閾値以上の嗜好の度合いを示す映像コンテンツのコンテンツ情報を抽出して嗜好情報を作成する嗜好分析装置と、
前記嗜好分析装置が作成した嗜好情報と、前記マルチキャスト配信映像コンテンツサーバおよび前記ユニキャスト配信映像コンテンツサーバが配信する映像コンテンツのコンテンツ情報とを照合し、あらかじめ設定された閾値以上の適合度を有するコンテンツ情報を抽出するコンテンツ抽出装置とを備え、
前記映像受信端末は、前記コンテンツ抽出装置が抽出したコンテンツ情報を記憶する抽出コンテンツ情報記憶部を備え、前記制御部は、前記抽出コンテンツ情報記憶部に記憶されたコンテンツ情報に該当する映像コンテンツを、前記ネットワークインタフェース部を介して前記マルチキャスト配信映像コンテンツサーバおよび前記ユニキャスト配信映像コンテンツサーバから取得し、再生することを特徴とするコンテンツ配信システム。
【請求項２】
映像コンテンツをマルチキャスト配信するマルチキャスト配信映像コンテンツサーバと、
映像コンテンツをユニキャスト配信するユニキャスト配信映像コンテンツサーバと、
前記マルチキャスト配信映像コンテンツサーバおよび前記ユニキャスト配信映像コンテンツサーバから配信される映像コンテンツを受信するネットワークインタフェース部と、前記ネットワークインタフェース部を介して取得した映像コンテンツを再生して表示装置に表示する制御部とを有する複数の映像受信端末とを備えたコンテンツ配信システムにおいて、
前記制御部が再生したユニキャスト配信された映像コンテンツのコンテンツ情報、およびマルチキャスト配信された映像コンテンツのコンテンツ情報を蓄積する視聴情報記憶装置と、
前記視聴情報記憶装置に蓄積されたコンテンツ情報に基づいて、前記各映像受信端末を利用するユーザ毎の映像コンテンツに対する嗜好の度合いを算出し、あらかじめ設定した閾値以上の嗜好の度合いを示す映像コンテンツのコンテンツ情報を抽出して前記ユーザ毎の嗜好情報を作成する嗜好分析装置と、
前記嗜好分析装置が作成したユーザ毎の嗜好情報のうち、嗜好を共有すべきユーザの嗜好情報を選択して統合する嗜好情報統合部と、前記嗜好情報統合部が統合した嗜好情報と、前記マルチキャスト配信映像コンテンツサーバおよび前記ユニキャスト配信映像コンテンツサーバが配信する映像コンテンツのコンテンツ情報とを照合し、あらかじめ設定された閾値以上の適合度を有するコンテンツ情報を抽出するコンテンツ抽出部とを備えたコンテンツ抽出装置と、
前記各映像受信端末は、前記コンテンツ抽出装置が抽出したコンテンツ情報を記憶する抽出コンテンツ情報記憶部を備え、前記制御部は、前記抽出コンテンツ情報記憶部に記憶されたコンテンツ情報に該当する映像コンテンツを、前記ネットワークインタフェース部を介して前記マルチキャスト配信映像コンテンツサーバおよび前記ユニキャスト配信映像コンテンツサーバから取得し、再生することを特徴とするコンテンツ配信システム。
【請求項３】
前記制御部は、前記抽出コンテンツ情報記憶部に記憶されたコンテンツ情報を前記表示装置に表示して再生する映像コンテンツの選択指示を受け付け、入力された選択指示に基づいて前記マルチキャスト配信映像コンテンツサーバあるいは前記ユニキャスト配信映像コンテンツサーバから映像コンテンツを受信し、再生することを特徴とする請求項１または請求項２記載のコンテンツ配信システム。
【請求項４】
前記映像受信端末が受信した映像コンテンツを記憶する映像記憶装置を備え、
前記映像受信端末は、前記制御部が取得した映像コンテンツを前記映像記憶装置に出力すると共に、前記映像記憶装置に記憶された映像コンテンツを読み出し前記制御部に出力する外部接続インタフェース部を備え、
前記視聴情報記憶装置は、前記外部接続インタフェース部を介して前記映像記憶装置に出力した映像コンテンツのコンテンツ情報、および前記外部接続インタフェース部が前記映像記憶装置から読み出した映像コンテンツのコンテンツ情報を蓄積し、
前記制御部は、前記抽出コンテンツ情報記憶部に記憶されたコンテンツ情報に該当するマルチキャスト配信映像コンテンツを、前記マルチキャスト配信映像コンテンツサーバから取得し、前記外部接続インタフェース部を介して前記映像記憶装置に記憶させることを特徴とする請求項１から請求項３のうちのいずれか１項記載のコンテンツ配信システム。
【請求項５】
マルチキャスト配信映像コンテンツサーバが映像コンテンツをマルチキャスト配信し、ユニキャスト配信映像コンテンツサーバが映像コンテンツをユニキャスト配信し、映像受信端末が前記マルチキャスト配信および前記ユニキャスト配信された映像コンテンツを受信し、再生するコンテンツ配信方法において、
視聴情報記憶装置が、前記映像受信端末において再生されたユニキャスト配信された映像コンテンツのコンテンツ情報、およびマルチキャスト配信された映像コンテンツのコンテンツ情報を蓄積するステップと、
嗜好分析装置が、前記視聴情報記憶装置が蓄積したコンテンツ情報に基づいて、ユーザの映像コンテンツに対する嗜好の度合いを算出し、あらかじめ設定された閾値以上の嗜好の度合いを示す映像コンテンツのコンテンツ情報を抽出して嗜好情報を作成するステップと、
コンテンツ抽出装置が、前記嗜好分析装置が作成した嗜好情報と、前記マルチキャスト配信映像コンテンツおよび前記ユニキャスト配信映像コンテンツのコンテンツ情報とを照合し、あらかじめ設定された閾値以上の適合度を有するコンテンツ情報を抽出するステップと、
前記映像受信端末が、前記コンテンツ抽出装置が抽出したコンテンツ情報を記憶するステップと、前記記憶されたコンテンツ情報に該当する映像コンテンツを前記マルチキャスト配信映像コンテンツサーバおよび前記ユニキャスト配信映像コンテンツサーバから取得し、再生するステップとを備えたことを特徴とするコンテンツ配信方法。
【請求項６】
マルチキャスト配信映像コンテンツサーバが映像コンテンツをマルチキャスト配信し、ユニキャスト配信映像コンテンツサーバが映像コンテンツをユニキャスト配信し、複数の映像受信端末が前記マルチキャスト配信および前記ユニキャスト配信された映像コンテンツを受信し、再生するコンテンツ配信方法において、
視聴情報記憶装置が、前記複数の映像受信端末において再生されたユニキャスト配信された映像コンテンツのコンテンツ情報、およびマルチキャスト配信された映像コンテンツのコンテンツ情報を蓄積するステップと、
嗜好分析装置が、前記視聴情報記憶装置が蓄積したコンテンツ情報に基づいて、前記映像受信端末を利用するユーザ毎の映像コンテンツに対する嗜好の度合いを算出し、あらかじめ設定された閾値以上の嗜好の度合いを示す映像コンテンツのコンテンツ情報を抽出して嗜好情報を作成するステップと、
コンテンツ抽出装置が、前記嗜好分析装置が作成したユーザ毎の嗜好情報のうち、嗜好を共有すべきユーザの嗜好情報を選択して統合するステップと、前記統合した嗜好情報と、前記マルチキャスト配信映像コンテンツサーバおよび前記ユニキャスト配信映像コンテンツサーバが配信する映像コンテンツのコンテンツ情報とを照合し、あらかじめ設定された閾値以上の適合度を有するコンテンツ情報を抽出するステップとを備え、
前記各映像受信端末が、前記コンテンツ抽出装置が抽出したコンテンツ情報を記憶するステップと、前記記憶されたコンテンツ情報に該当する映像コンテンツを、前記マルチキャスト配信映像コンテンツサーバおよび前記ユニキャスト配信映像コンテンツサーバから取得し、再生するステップとを備えたことを特徴とするコンテンツ配信方法。
【発明の詳細な説明】
【技術分野】
【０００１】
この発明は、ＩＰネットワークを経由したデジタル映像コンテンツの配信に関し、特にユーザの嗜好に合わせたデジタル映像コンテンツ情報を提供するコンテンツ配信システムおよびコンテンツ配信方法に関するものである。
【背景技術】
【０００２】
従来、膨大な数の映像コンテンツの中からユーザが視聴したいコンテンツを探索する負担を軽減させるため、ユーザが視聴した映像コンテンツ情報を蓄積し、蓄積した映像コンテンツに基づいて推薦する映像コンテンツ情報を提供している。例えば、特許文献１に開示された推薦コンテンツ表示装置では、実際に視聴を行った番組の情報を外部記憶媒体に蓄積し、蓄積した番組情報を推薦コンテンツ表示装置内部に取り込み、番組ジャンル毎、番組出演者毎、監督毎あるいは制作会社毎の累計を行って嗜好の分析を行い、該嗜好分析の結果に基づいてコンテンツ推薦情報を生成してユーザに提示している。
【先行技術文献】
【特許文献】
【０００３】
【特許文献１】特開２００５−９４１１５号公報
【発明の概要】
【発明が解決しようとする課題】
【０００４】
しかしながら、上述した特許文献１に開示された技術では、マルチキャスト配信のライブ配信映像コンテンツを視聴および録画した場合の視聴情報を用いて嗜好分析を行っているため、嗜好分析の基となる情報の範囲および推薦されるコンテンツの範囲が限定的になるという課題があった。
【０００５】
この発明は、上記のような課題を解決するためになされたもので、嗜好分析範囲を拡張し、よりユーザの嗜好に沿った精度の高いコンテンツ情報を生成することを目的とする。
【課題を解決するための手段】
【０００６】
この発明に係るコンテンツ配信システムは、映像受信端末の制御部が再生した映像コンテンツのコンテンツ情報を蓄積する視聴情報記憶装置と、視聴情報記憶装置に蓄積されたコンテンツ情報に基づいて、映像受信端末を利用するユーザの映像コンテンツに対する嗜好の度合いを算出し、あらかじめ設定された閾値以上の嗜好の度合いを示す映像コンテンツのコンテンツ情報を抽出して嗜好情報を作成する嗜好分析装置と、嗜好分析装置が作成した嗜好情報と、マルチキャスト配信映像コンテンツサーバおよびユニキャスト配信映像コンテンツサーバが配信する映像コンテンツのコンテンツ情報とを照合し、あらかじめ設定された閾値以上の適合度を有するコンテンツ情報を抽出するコンテンツ抽出装置とを備え、映像受信端末はコンテンツ抽出装置が抽出したコンテンツ情報を記憶する抽出コンテンツ情報記憶部を備え、映像受信端末の制御部は、抽出コンテンツ情報記憶部に記憶されたコンテンツ情報に該当する映像コンテンツを、ネットワークインタフェース部を介してマルチキャスト配信映像コンテンツサーバおよびユニキャスト配信映像コンテンツサーバから取得し、再生するものである。
【発明の効果】
【０００７】
この発明によれば、ユーザの嗜好を考慮して抽出されたコンテンツ情報の範囲が限定的となるのを抑制することができる。また、ユーザの嗜好を考慮して抽出されたコンテンツ情報の精度を向上させることができる。
【図面の簡単な説明】
【０００８】
【図１】実施の形態１によるコンテンツ配信システムの構成を示すブロック図である。
【図２】実施の形態１によるコンテンツ配信システムの動作を示すフローチャートである。
【図３】実施の形態２によるコンテンツ配信システムの構成を示すブロック図である。
【図４】実施の形態２によるコンテンツ配信システムの動作を示すフローチャートである。
【発明を実施するための形態】
【０００９】
実施の形態１．
図１は、この発明の実施の形態１によるコンテンツ配信システムの構成を示すブロック図である。
実施の形態１のコンテンツ配信システムは、映像受信端末１、映像配信サーバ２、映像表示装置３、入力装置４、映像記憶装置５、ユーザデータベースサーバ６、嗜好分析装置７およびコンテンツ抽出装置８で構成されている。
さらに映像受信端末１は、映像データ制御部（制御部）１１、ネットワークインタフェース部１２、外部機器接続インタフェース部（外部接続インタフェース部）１３および抽出コンテンツリスト記憶部１４を備えている。映像配信サーバ２は、マルチキャスト配信映像コンテンツサーバ２１およびユニキャスト配信映像コンテンツサーバ２２で構成されている。ユーザデータベースサーバ６は、視聴情報記憶部（視聴情報記憶装置）６１および嗜好情報記憶部６２で構成されている。
【００１０】
まず、デジタル映像コンテンツの再生および記録について説明する。
映像受信端末１は、無線または有線のＩＰネットワークのネットワークインタフェース部１２を経由して、映像配信サーバ２から配信されるデジタル映像コンテンツデータを受信する。受信したデジタル映像コンテンツデータは、映像データ制御部１１において復号化され、ディスプレイなどの映像表示装置３に表示される。ユーザは映像表示装置３を介して映像コンテンツを視聴することができる。
【００１１】
より詳細に説明すると、視聴者であるユーザがリモコンなどで構成される入力装置４を介してチャネル選択指示を入力すると、該チャネル選択指示に基づいてマルチキャスト配信映像コンテンツサーバ２１、あるいはユニキャスト配信映像コンテンツサーバ２２から受信した映像コンテンツを復号化して再生する。
マルチキャスト配信映像コンテンツサーバ２１による配信は、地上波デジタル放送のＩＰ再送信放送および映像サービス配信業者による多チャンネル放送などのライブ映像などが挙げられる。また、ユニキャスト配信映像コンテンツサーバ２２による配信は、ビデオオンデマンドのようなユーザが要求した時点で映像コンテンツが配信されるサービスによるものである。
【００１２】
また、映像コンテンツの著作権の許す範囲で、映像データ制御部１１に入力されたデジタル映像コンテンツデータを、外部機器接続インタフェース部１３を介して映像記憶装置５に転送し、該映像記憶装置５の記憶領域に格納する。一方、格納したデジタル映像コンテンツデータの再生は、ユーザが入力装置４を介して視聴した映像コンテンツを選択することにより、映像データ制御部１１が外部機器接続インタフェース部１３を介して格納したデジタル映像コンテンツデータを取得して映像表示装置３に表示する。これによりユーザは好きなときに映像コンテンツを視聴することができる。外部機器接続インタフェース部１３は例えばＵＳＢなどで構成され、映像記憶装置５はＵＳＢ接続ハードディスクなどで構成される。
【００１３】
次に、ユーザの嗜好情報の生成およびユーザの嗜好情報に基づいたコンテンツの抽出について説明する。
映像データ制御部１１は、ユーザが視聴したデジタル映像コンテンツ即ち映像表示装置３に出力したデジタル映像コンテンツ、および映像記憶装置５に蓄積したデジタル映像コンテンツのジャンルや番組名、出演者などの情報を、各デジタル映像コンテンツの受信データに含まれるＥＩＴ（Event Information Table）から取得してユーザ視聴情報としてまとめ、視聴情報記憶部６１に格納する。
【００１４】
嗜好分析装置７は、視聴情報記憶部６１に格納されたユーザ視聴情報を取得し、ユーザの嗜好を分析する。
まず、ユニキャスト配信映像コンテンツに関するユーザ視聴情報を取得し、ユーザの嗜好度を分析する。ライブ配信映像のようにサーバが現在リアルタイムで配信している映像コンテンツを受動的に受信する場合と比較して、ビデオオンデマンドなどのユニキャスト配信映像コンテンツは、ユーザが能動的に映像コンテンツを選択していると考えられ、また各映像コンテンツに視聴料金が発生することも多いため、ユニキャスト配信映像コンテンツはユーザの嗜好度を分析する際の影響力が大きいと判断し、高い嗜好度を付与する。このユニキャスト配信映像コンテンツに関するユーザ視聴情報を用いて映像コンテンツを抽出することは、映像コンテンツ抽出の精度を向上させるのに有効である。
【００１５】
次に嗜好分析装置７は、映像記憶装置５に格納された映像コンテンツに関するユーザ視聴情報、および映像記憶装置５に記憶する予約が設定されている映像コンテンツに関するユーザ視聴情報を取得し、ユーザの嗜好度を分析する。
映像記憶装置５に記録済みであり、且つ視聴済みの映像コンテンツは、記録して必ず視聴したい映像コンテンツであることから高い嗜好度を付与する。さらに、複数回視聴している映像コンテンツについてはさらに高い嗜好度を付与する。また、番組情報が同一または類似した映像コンテンツが複数回記録されている場合には、シリーズで映像コンテンツを蓄積してまとめて視聴する場合が考えられることから、高い嗜好度を付与する。一方、映像記憶装置５に記録された映像コンテンツの中には、記録をおこなったが、ユーザの興味が無く視聴していないものも多く含まれる場合も考えられるため、視聴していない映像コンテンツに対しては低い嗜好度を付与する。
【００１６】
次に嗜好分析装置７は、マルチキャスト配信映像コンテンツに関するユーザ視聴情報を取得し、ユーザの嗜好度を分析する。
番組名が同一または類似した映像コンテンツを視聴している場合や、同一の出演者の映像コンテンツを複数視聴している場合には、上記処理と同様に高い嗜好度を付与する。
【００１７】
嗜好分析装置７は、付与した嗜好度を参照し、あらかじめ設定された閾値以上の嗜好度を有するデジタル映像コンテンツのコンテンツ情報をユーザ嗜好情報として嗜好情報記憶部６２に格納する。
【００１８】
コンテンツ抽出装置８は、嗜好情報記憶部６２に格納されたユーザ嗜好情報と、マルチキャスト配信映像コンテンツサーバ２１のコンテンツ情報およびユニキャスト配信映像コンテンツサーバ２２のコンテンツ情報とを照合して適合度を算出し、あらかじめ設定された閾値以上の適合度を有するコンテンツ情報を抽出してリスト化し、生成したコンテンツ情報リストを映像受信端末１の抽出コンテンツリスト記憶部１４に格納する。
映像受信端末１の映像データ制御部１１は、抽出コンテンツリスト記憶部１４に格納された抽出コンテンツリストを映像表示装置３に表示し、ユーザが選択した映像コンテンツを再生する。また映像データ制御部１１は、抽出コンテンツリストのマルチキャスト配信映像コンテンツの録画予約を行う。
【００１９】
次に、実施の形態１によるコンテンツ配信システムの嗜好分析およびコンテンツ抽出の動作について図２を参照しながら説明を行う。図２は、実施の形態１によるコンテンツ配信システムの動作を示すフローチャートである。
嗜好分析装置７は、ユニキャスト配信映像コンテンツのユーザ視聴情報を視聴情報記憶部６１から取得し、嗜好度を算出する（ステップＳＴ１）。同様に、記録映像コンテンツのユーザ視聴情報を視聴情報記憶部６１から取得し、嗜好度を算出し（ステップＳＴ２）、マルチキャスト配信映像コンテンツのユーザ視聴情報を視聴情報記憶部６１から取得し、嗜好度を算出する（ステップＳＴ３）。嗜好分析装置７は、ステップＳＴ１からステップＳＴ３で取得したユーザ視聴情報および嗜好度を参照し、あらかじめ設定された閾値以上の嗜好度を有する映像コンテンツのコンテンツ情報を、ユーザ嗜好情報として嗜好情報記憶部６２に格納する（ステップＳＴ４）。
【００２０】
コンテンツ抽出装置８は、ステップＳＴ４で格納されたユーザ嗜好情報と、マルチキャスト配信映像コンテンツサーバ２１のコンテンツ情報およびユニキャスト配信映像コンテンツサーバ２２のコンテンツ情報とを照合する（ステップＳＴ５）。ステップＳＴ５の照合において、ユーザ嗜好情報と各コンテンツ情報との適合度があらかじめ設定した閾値以上のコンテンツ情報を抽出し（ステップＳＴ６）、抽出したコンテンツ情報をリスト化し、映像受信端末１の抽出コンテンツリスト記憶部１４に格納する（ステップＳＴ７）。
【００２１】
映像データ制御部１１は、入力装置４から抽出コンテンツリストの表示指示が入力されたか否か判定を行う（ステップＳＴ８）。コンテンツリストの表示指示が入力された場合（ステップＳＴ８；ＹＥＳ）、映像データ制御部１１は抽出コンテンツリスト記憶部１４から抽出コンテンツリストを読み出し、映像表示装置３に表示する（ステップＳＴ９）。一方、コンテンツリストの表示指示が入力されない場合（ステップＳＴ８；ＮＯ）には、当該処理を繰り返す。
【００２２】
ユーザが、映像表示装置３に表示された抽出コンテンツリストから所望の映像コンテンツを選択すると（ステップＳＴ１０；ＹＥＳ）、映像データ制御部１１は選択された映像コンテンツに相当する映像コンテンツデータをマルチキャスト配信映像コンテンツサーバ２１あるいはユニキャスト配信映像コンテンツサーバ２２から取得する（ステップＳＴ１１）。ステップＳＴ１１で取得された映像コンテンツデータを復号化し、映像表示装置３に映像表示する（ステップＳＴ１２）。
【００２３】
一方、ステップＳＴ７において抽出コンテンツリストが格納されると、映像データ制御部１１は抽出コンテンツリストにこれから配信される予定のマルチキャスト配信映像コンテンツが含まれているか否かの判定も行う（ステップＳＴ１３）。これから配信される予定のマルチキャスト配信映像コンテンツが含まれていない場合（ステップＳＴ１３；ＮＯ）、処理を終了する。一方、これから配信されるマルチキャスト配信映像コンテンツが含まれている場合（ステップＳＴ１３；ＹＥＳ）、映像データ制御部１１は、該コンテンツの録画予約を設定し（ステップＳＴ１４）、処理を終了する。
【００２４】
以上のように、この実施の形態１によれば、ユニキャスト配信映像コンテンツに関するユーザ視聴情報、マルチキャスト配信映像コンテンツに関するユーザ視聴情報および映像記憶装置５に記憶された映像コンテンツに関するユーザ視聴情報を記憶する視聴情報記憶部６１と、視聴情報記憶部６１に記憶された３種類のユーザ視聴情報を加味してユーザの嗜好度を分析する嗜好分析装置７を備えるように構成したので、より拡張された範囲からユーザが興味を持つと推定されるコンテンツの選定を行うことができる。
【００２５】
また、この実施の形態１によれば、マルチキャスト配信映像コンテンツサーバ２１に格納されたコンテンツ情報に加え、ユニキャスト配信映像コンテンツサーバ２２に格納されたコンテンツ情報も加味して、ユーザ嗜好情報との適合度を算出して、ユーザに推薦するコンテンツ情報を抽出するコンテンツ抽出装置８を備えるように構成したので、推薦するコンテンツ情報の範囲が限定的となるのを抑制し、ユーザの興味の範囲を拡張させることができる。
【００２６】
また、この実施の形態１によれば、嗜好分析装置７がユーザの嗜好度を付与する際に、例えばユニキャスト配信映像コンテンツの視聴はユーザの嗜好度への影響が高いと判断して高い嗜好度を付与するなど、映像コンテンツの種類に応じて重み付けを行って嗜好度を付与するように構成したので、精度の高いユーザ嗜好情報を作成することができる。
【００２７】
なお、上述した実施の形態１では、抽出したコンテンツ情報をリスト化して映像受信端末１の抽出コンテンツリスト記憶部１４に格納する構成を示したが、コンテンツ情報の表示はリスト表示に限定されるものではなく適宜変更可能である。
【００２８】
実施の形態２．
この実施の形態２では、複数の映像受信端末間でユーザの嗜好情報を共有する構成について説明する。
図３は、実施の形態２によるコンテンツ配信システムの構成を示すブロック図である。
この実施の形態２では、映像配信サーバ２およびユーザデータベースサーバ６´を介して２つの映像受信端末１ａ，１ｂが接続されている構成を示している。以下では、映像受信端末１ａをユーザＡが使用し、映像受信端末１ｂをユーザＢが使用し、ユーザＡおよびユーザＢが例えば知人同士である場合に、ユーザＡが嗜好を共有したい、あるいは映像コンテンツを共有したユーザＢを映像受信端末１ａに登録しているものとして説明を行う。なお、映像受信端末１ａ，１ｂは、実施の形態１で示した映像受信端末１と同様に映像データ制御部１１ａ，１１ｂ、ネットワークインタフェース部１２ａ，１２ｂ、外部機器接続インタフェース部１３ａ，１３ｂ、抽出コンテンツリスト記憶部１４ａ，１４ｂで構成され、これらを示すブロック図は図１と同一であるため、説明を省略する。
【００２９】
ユーザデータベースサーバ６´は、ユーザＡの映像受信端末１ａから入力されるユーザ視聴情報を格納するユーザＡ視聴情報記憶部６１ａと、ユーザＢの映像受信端末１ｂから入力されるユーザ視聴情報を格納するユーザＢ視聴情報記憶部６１ｂとを備える。さらに、嗜好分析装置７´が、ユーザＡ視聴情報記憶部６１ａに格納されたユーザ視聴情報に基づいて生成したユーザ嗜好情報を格納するユーザＡ嗜好情報記憶部６２ａと、ユーザＢ視聴情報記憶部６１ｂに格納されたユーザ視聴情報に基づいて生成したユーザ嗜好情報を格納するユーザＢ嗜好情報記憶部６２ｂとを備えている。
【００３０】
嗜好分析装置７´は、ユーザＡ視聴情報記憶部６１ａに記憶されたユーザ視聴情報を参照し、ユーザＡの嗜好度を算出してユーザＡ嗜好情報記憶部６２ａに格納する。同様にユーザＢ視聴情報記憶部６１ｂに記憶されたユーザ視聴情報を参照してユーザＢの嗜好度を算出し、ユーザＢ嗜好情報記憶部６２ｂに格納する。
【００３１】
コンテンツ抽出装置８´は、ユーザＡの嗜好情報とユーザＢの嗜好情報とを統合する嗜好情報統合部８１と、統合された嗜好情報に基づいてコンテンツ情報を抽出するコンテンツ抽出部８２を備える。
嗜好情報統合部８１には、ユーザＡの入力装置４ａから、ユーザＢの嗜好情報を加味してコンテンツ情報を抽出するか否かの指示が入力される。一方、ユーザＢの入力装置４ｂからは、ユーザＢの嗜好情報をどのような推薦度で提供するかを指示する情報が入力される。すなわち、ユーザＢはユーザＡに対して、自らの嗜好情報の推薦度を調整することができ、ユーザＡと共有したいと考えるコンテンツが抽出されるように自らの嗜好度の推薦度を高く設定することができる。これにより、ユーザＡと共有したいと考えられたコンテンツが、ユーザＡ側で抽出され易くなる。
【００３２】
嗜好情報統合部８１は、ユーザＢの嗜好情報を加味する指示が入力されている場合に、ユーザＡ嗜好情報記憶部６２ａおよびユーザＢ嗜好情報記憶部６２ｂから、ユーザＡおよびユーザＢの嗜好情報を取得する。取得したユーザＡの嗜好情報と、ユーザＢの入力装置４ｂを介して指定された推薦度を付加したユーザＢの嗜好情報とを統合した統合嗜好情報を生成する。
【００３３】
コンテンツ抽出装置８´のコンテンツ抽出部８２は、生成した統合嗜好情報と、マルチキャスト配信映像コンテンツサーバ２１のコンテンツ情報およびユニキャスト配信映像コンテンツサーバ２２のコンテンツ情報とを照合して適合度を算出し、あらかじめ設定された閾値以上の適合度を有するコンテンツ情報を抽出してリスト化し、生成したコンテンツ情報リストをユーザＡの映像受信端末１ａの抽出コンテンツリスト記憶部１４ａに格納する。
映像受信端末１ａの映像データ制御部１１ａは、抽出コンテンツリスト記憶部１４ａに格納された抽出コンテンツリストを映像表示装置３ａに表示し、ユーザが選択した映像コンテンツを再生する。また映像データ制御部１１ａは、抽出コンテンツリストのマルチキャスト配信映像コンテンツの録画予約を行う。
【００３４】
次に、実施の形態２によるコンテンツ配信システムの嗜好分析およびコンテンツ抽出の動作について図４を参照しながら説明を行う。図４は、実施の形態１によるコンテンツ配信システムの動作を示すフローチャートである。なお、以下では実施の形態１に係るコンテンツ配信システムと同一のステップには図１で使用した符号と同一の符号を付し、説明を省略または簡略化する。
【００３５】
嗜好分析装置７´は、ユーザＡのユーザ視聴情報をユーザＡ視聴情報記憶部６１ａから、ユニキャスト配信映像コンテンツのユーザ視聴情報、記録映像コンテンツのユーザ視聴情報、マルチキャスト配信映像コンテンツのユーザ視聴情報を取得し、各ユーザ視聴情報の嗜好度を算出する（ステップＳＴ２１）。さらにステップＳＴ２１で算出した嗜好度があらかじめ設定された閾値以上の映像コンテンツ情報をユーザＡの嗜好情報として、ユーザＡ嗜好情報記憶部６２ａに格納する（ステップＳＴ２２）。
【００３６】
さらに嗜好分析装置７´は、ユーザＢのユーザ視聴情報をユーザＢ視聴情報記憶部６１ｂから、ユニキャスト配信映像コンテンツのユーザ視聴情報、記録映像コンテンツのユーザ視聴情報、マルチキャスト配信映像コンテンツのユーザ視聴情報を取得し、各ユーザ視聴情報の嗜好度を算出する（ステップＳＴ２３）。さらにステップＳＴ２３で算出した嗜好度があらかじめ設定された閾値以上の映像コンテンツ情報をユーザＢの嗜好情報として、ユーザＢ嗜好情報記憶部６２ｂに格納する（ステップＳＴ２４）。
【００３７】
コンテンツ抽出装置８´の嗜好情報統合部８１は、ユーザＡの入力装置４ａから嗜好情報統合指示が入力されているか否か判定を行う（ステップＳＴ２５）。嗜好情報統合指示が入力されていない場合（ステップＳＴ２５；ＮＯ）、実施の形態１で示した図２のフローチャートのステップＳＴ５の処理に進む。一方、嗜好情報統合指示が入力されている場合（ステップＳＴ２５；ＹＥＳ）、嗜好情報統合部８１はステップＳＴ２２で格納されたユーザＡの嗜好情報と、ステップＳＴ２４で格納されたユーザＢの嗜好情報を取得して統合し、統合嗜好情報を生成する（ステップＳＴ２６）。なお、嗜好情報統合部８１は、ユーザＢの入力装置４ｂから嗜好情報をどのような推薦度で提供するかを指示する情報が入力されている場合には、該推薦度をユーザＢの嗜好情報に加味して統合嗜好情報を生成する。
【００３８】
コンテンツ抽出装置８´のコンテンツ抽出部８２は、ステップＳＴ２６で生成された統合嗜好情報と、マルチキャスト配信映像コンテンツサーバ２１のコンテンツ情報およびユニキャスト配信映像コンテンツサーバ２２のコンテンツ情報とを照合する（ステップＳＴ２７）。ステップＳＴ２７の照合において、ユーザ嗜好情報と各コンテンツ情報との適合度があらかじめ設定した閾値以上のコンテンツ情報を抽出し（ステップＳＴ６）、抽出したコンテンツ情報をリスト化し、映像受信端末１ａの抽出コンテンツリスト記憶部１４ａに格納する（ステップＳＴ７）。以降の映像受信端末１ａにおける処理は実施の形態１と同一であるため、説明を省略する。
【００３９】
以上のように、この実施の形態２によれば、コンテンツ抽出装置８´が、嗜好を共有すると登録されたユーザの嗜好情報を、自身の嗜好情報に統合する嗜好情報統合部８１と、統合されたユーザ嗜好情報とマルチキャスト配信映像コンテンツサーバ２１のコンテンツ情報およびユニキャスト配信映像コンテンツサーバ２２のコンテンツ情報とを照合して閾値以上の適合度を有するコンテンツ情報を抽出するコンテンツ抽出部８２を備えるように構成したので、ユーザが映像配信サーバ内の膨大な数のコンテンツの中から、他のユーザの嗜好情報から推薦された新たな嗜好を開拓することができる。
さらに、友人の多くが視聴する映画やドラマなどのコンテンツを視聴する確率を向上させることができ、ユーザに対してより豊かなエンターテイメントの場を提供することができる。
【００４０】
なお、上述した実施の形態２では、ユーザＡがユーザＢの嗜好情報を用いる構成を示したが、ユーザＢがユーザＡの嗜好情報を用いてコンテンツ情報を抽出してもよい。さらに、３人以上のユーザが使用する３台以上の映像受信端末をユーザデータベースサーバおよび映像配信サーバを介して接続するように構成してもよい。
【００４１】
なお、上述した実施の形態２では、抽出したコンテンツ情報をリスト化して映像受信端末１ａの抽出コンテンツリスト記憶部１４ａに格納する構成を示したが、コンテンツ情報の表示はリスト表示に限定されるものではなく適宜変更可能である。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１，１ａ，１ｂ  映像受信端末、２  映像配信サーバ、３，３ａ，３ｂ  映像表示装置、４，４ａ，４ｂ  入力装置、５，５ａ，５ｂ  映像記憶装置、６  ユーザデータベースサーバ、７，７´  嗜好分析装置、８，８´  コンテンツ抽出装置、１１，１１ａ，１１ｂ  映像データ制御部、１２，１２ａ，１２ｂ  ネットワークインタフェース部、１３，１３ａ，１３ｂ  外部機器接続インタフェース部、１４，１４ａ，１４ｂ  抽出コンテンツリスト記憶部、２１  マルチキャスト配信映像コンテンツサーバ、２２  ユニキャスト配信映像コンテンツサーバ、６１，６１ａ，６１ｂ  視聴情報記憶部、６２，６２ａ，６２ｂ  嗜好情報記憶部、８１  嗜好情報統合部、８２  コンテンツ抽出部。
【図１】
2013126020.tif 000003
【図２】
2013126020.tif 000004
【図３】
2013126020.tif 000005
【図４】
2013126020.tif 000006